【事件の表示】
　特願２０１２−１２１２８３号「船舶および船舶用推進装置」拒絶査定不服審判事件〔平成２５年１２月　９日出願公開、特開２０１３−２４４９１３号〕について、次のとおり審決する。
【結　論】
　本件審判の請求は、成り立たない。
【理　由】
第１　手続の経緯  
　本願は、平成２４年５月２８日の出願であって、平成２４年６月６日に手続補正書及び上申書が提出され、平成２７年６月２５日付けで拒絶理由が通知され、同年８月６日に意見書が提出され、平成２８年１月２９日付けで拒絶査定がされ、同年３月７日に拒絶査定不服審判が請求されるとともに手続補正書が提出されたものである。  
 　　 
第２　平成２８年３月７日になされた手続補正についての補正の却下の決定
［補正の却下の決定の結論］  
　平成２８年３月７日になされた手続補正を却下する。  
 　 
［理由］  
１　補正の内容  
　平成２８年３月７日になされた手続補正（以下「本件補正」という。）は、本願の願書に最初に添付した特許請求の範囲の請求項４に記載された、
「【請求項４】
　船体の機関室に設置される低速主機関と、
　前記船体の船尾部に貫通して設置される船尾管軸受に対して支持されるプロペラ軸と前記低速主機関の出力軸との間に設置されて前記低速主機関の出力軸の回転速度を増速して前記プロペラ軸に伝達する増速機と、
　を備えることを特徴とする船舶用推進装置。」
という発明を、補正後の特許請求の範囲の請求項３に記載された、　
「【請求項３】
　
満載時の喫水線が５．０［ｍ］〜６．５［ｍ］であり、プロペラが、直径４．０［ｍ］〜５．２［ｍ］である船舶における
　前記船体の船尾部に貫通して設置される船尾管軸受に対して支持されるプロペラ軸と前記低速主機関の出力軸との間に設置されて前記低速主機関の出力軸の回転速度を増速して前記プロペラ軸に伝達する増速機と、
　を備えることを特徴とする船舶用推進装置。」
という発明に補正することを含むものである（なお、下線部は補正箇所を示す。）。
　 　　 
２　補正の適否  
（１）新規事項の追加の有無、シフト補正の有無、及び補正の目的の適否について 　  
　上記補正は、補正前の請求項４に記載された発明を特定するために必要な事項である「船体」について、本願の願書に最初に添付した特許請求の範囲の請求項６及び明細書の段落【００２８】等の記載を根拠に、「満載時の喫水線が５．０［ｍ］〜６．５［ｍ］であり、プロペラが、直径４．０［ｍ］〜５．２［ｍ］である船舶における船体」であることを限定するものであるから、発明特定事項を限定するものであって新規事項を追加するものではない。  
　また、上記補正は、特許法第１７条の２第４項に規定する要件を満たすものである。 
　したがって、本件補正は、特許法第１７条の２第３項及び同第４項の規定に適合するものであり、また、その補正前の請求項４に記載された発明とその補正後の請求項３に記載される発明の産業上の利用分野及び解決しようとする課題が同一であるから、特許法第１７条の２第５項第２号に掲げられた特許請求の範囲の減縮を目的とするものに該当する。  
　そこで、本件補正後の請求項３に記載された事項により特定される発明（以下「本願補正発明」という。）が、特許出願の際独立して特許を受けることができるものであるかについて以下検討する。  
 　　 　　  
（２）独立特許要件  
ア　刊行物の記載事項等  
（ア）刊行物１の記載事項等  
　原査定の拒絶の理由に引用文献１として示された実公平２−４３８４０号公報（以下「刊行物１」という。）には、以下の事項が記載されている（下線は当審で付した。以下同様。）。 
（１ａ）「産業上の利用分野
　この考案は、低速主機関用軸発増速機に関するものである。
　
低速デイーゼル機関を主機関とする船舶において、該主機関により推進軸系を介して艫側のプロペラを駆動する
（１ｂ）「第１図に示す配置図において、
１は低速デイーゼル主機関、２はプロペラ、３は主機関１側とプロペラ２側とを結合して推進軸系を構成する中間軸、４は中間軸３の図示の位置に直結した増速機、５は増速機４に結合した発電機である。
　上記装置において、主機関１でプロペラ２のみを回転駆動し、増速機４を未使用とする軸発未使用モードIと、増速機４を使用して発電機５も主機関１で駆動する軸発使用モードIIと、主機関１の故障時や保守工事中に発電機５を電動機へ切換えてプロペラ２を低速駆動するバツクアツプモードIIIの機能をもたせている。」（２頁４欄４１行〜３頁５欄８行） 
 （１ｃ）刊行物１には、以下の図が示されている。 
　以上によれば、刊行物１には、低速デイーゼル主機関１、プロペラ２、低速デイーゼル主機関１側とプロペラ２側とを結合して推進軸系を構成する中間軸３、中間軸３に直結した増速機、及び増速機４に結合した発電機５を備えた装置が記載されており（摘示（１ｂ））、かかる装置は、船舶の推進機構をなすことが明らかである（摘示（１ａ）（１ｃ））。
　したがって、刊行物１には、
「低速デイーゼル主機関１、プロペラ２、低速デイーゼル主機関１側とプロペラ２側とを結合して推進軸系を構成する中間軸３、中間軸３に直結した増速機、及び増速機４に結合した発電機５を備えた、船舶の推進機構をなす装置。」の発明（以下「引用発明」という。）が記載されているといえる。  
　　
（イ）刊行物２の記載事項  
　原査定の拒絶の理由に引用文献２として示された特開昭６０−５３４９６号公報（以下「刊行物２」という。）には、以下の事項が記載されている。
（２ａ） 「（産業上の利用分野）
　本発明はトランサムに対し起伏及び左右回動自在に取り付けたアウトドライブ装置と、アウトドライブ装置に連結された船内機関から成る船内外機の推進装置に関する。」（１頁左下欄１２〜１６行）
（２ｂ）「（発明の目的）
　本発明は船内外機の大形化、
高出力化への要望（ニーズ）に対応
高出力化の要求を満たすためには、プロペラ径を大きくするか、又はプロペラの回転数を速くするかの、２つの対策がある
本発明は
プロペラ径を必要以上に大きくすることなく、しかもプロペラの高回転によってエンジン出力を充分吸収できるようにすることを目的としている。
（２ｃ）「第１図の
主機関１を起動し、増速逆転機８の前後進切換弁４７を前進側へ操作すると、主機関１の出力はフライホイール９からダンパーデイスク１０を経て増速逆転機８の入力軸１１に伝達され、そこから前進クラツチ４６、前進増速歯車４５、出力歯車４８を経て出力軸１２へ増速状態で伝わり、更にそこから連結軸３を経てアウトドライブ装置２へ伝わり、プロペラ３７が正転し、船体は前進する。
・・・（中略）・・・
（発明の効果）
　以上説明したように
本発明においては、
増速逆転機８を介装したので
プロペラ３７の径を必要以上に大きくすることなく、プロペラ３７の高回転によってエンジン出力を効果的に吸収することができ、推進効率が向上する。
 　 
（ウ）刊行物３の記載事項  
　原査定の拒絶の理由に引用文献３として示された特開２００９−２８００６７号公報（以下「刊行物３」という。）には、以下の事項が記載されている。 
（３ａ）「 【００２１】
　また、流れの可視化を行うため、風速1.0m/sで煙法により実験を行った。
尚、実験対象となる
自動車運搬船の実際の主要寸法は次の通りである。
全長：139.9m
水線長さ：135.0m
垂線間長：131.0m
船幅：22.4m
深さ：29.6m
喫水:6.5m
　風洞実験において得られた風圧力は、船体水線面の中央を原点とした船体固定座標系における風圧力としてまとめた。」
 　 
（エ）刊行物４の記載事項  
　原査定の拒絶の理由に引用文献４として示された特開２０１１−１６２０６４号公報（以下「刊行物４」という。）には、以下の事項が記載されている。 
（４ａ）「【００３８】
　本実施例に係る
船舶の主要目は
吃水約６．５メートル
　
（オ）刊行物５の記載事項  
　原査定の拒絶の理由に引用文献６として示された特開２００９−２９２６８号公報号公報（以下「刊行物５」という。）には、以下の事項が記載されている。 
（５ａ）「【００２４】
〔第１の実施形態〕
　以下、本発明の第１の実施形態に係る舶用プロペラついて図１から図４を参照して説明する。
　図１は、本実施形態に係る舶用プロペラの概略構成を説明する模式図である。
　本実施形態で説明する
舶用プロペラ１は、種々の船舶の推進に用いられるプロペラであって
特に、直径が約４ｍから約５ｍの範囲で用いるのに好適なプロペラである。
 　 
イ　対比 　 
　本願補正発明と引用発明とを対比する。  
（ア）引用発明の「低速デイーゼル主機関１」は、「船舶の推進機構をなす装置」を構成するものであり、船舶における船体に設置されることは自明であるから、本願補正発明の「満載時の喫水線が５．０［ｍ］〜６．５［ｍ］であり、プロペラが、直径４．０［ｍ］〜５．２［ｍ］である船舶における船体の機関室に設置される低速主機関」とは、「船舶における船体に設置される低速主機関」の限度で共通するものといえる。
（イ）引用発明の「低速デイーゼル主機関１側とプロペラ２側とを結合して推進軸系を構成する中間軸３」は、船体に設置されることは自明であり、さらに、第１図（摘示（１ｃ））に示されるとおりプロペラの軸をなすことも明らかであるから、本願補正発明の「前記船体の船尾部に貫通して設置される船尾管軸受に対して支持されるプロペラ軸」とは、「前記船体に設置されるプロペラ軸」の限度で共通するものといえる。
（ウ）引用発明の「船舶の推進機構をなす装置」は、本願補正発明の「船舶用推進装置」に相当する。
　 
　以上によれば、本願補正発明と引用発明とは、  
「船舶における船体に設置される低速主機関と、前記船体に設置されるプロペラ軸と、を備える船舶用推進装置。」の点で一致し、以下の点で相違している。  
 　 
 ＜相違点１＞  
「低速主機関」の設置について、本願補正発明は、低速主機関が「満載時の喫水線が５．０［ｍ］〜６．５［ｍ］であり、プロペラが、直径４．０［ｍ］〜５．２［ｍ］である船舶における船体の機関室」に設置されるものとして特定されているのに対し、引用発明は、そのように特定されていない点。
＜相違点２＞
「プロペラ軸」について、本願補正発明は、「前記船体の船尾部に貫通して設置される船尾管軸受に対して支持される」ものであるのに対し、引用発明は、そのように特定されていない点。
＜相違点３＞
　本願補正発明は、「前記低速主機関の出力軸との間に設置されて前記低速主機関の出力軸の回転速度を増速して前記プロペラ軸に伝達する増速機」を具備するのに対し、引用発明は、そのような増速機を備えていない点。
　 
ウ　判断  
 ＜相違点１＞ について 
（ア）刊行物３には、「実験対象となる自動車運搬船の実際の主要寸法は次の通りである。・・・喫水:6.5m」と記載され（摘示（３ａ））、刊行物４には、「本実施例に係る船舶の主要目は・・・吃水約６．５メートル」と記載されているように（摘示（４ａ））、船舶の喫水を「６．５ｍ」程度に設定することは、かかる技術分野で通常実施されている範囲のものであって周知技術といえる。
　また、刊行物５には、「本実施形態で説明する舶用プロペラ１は、種々の船舶の推進に用いられるプロペラであって、・・・特に、直径が約４ｍから約５ｍの範囲で用いるのに好適なプロペラである。」と記載されているように（摘示（５ａ））、船舶用プロペラの直径を「４〜５ｍ」程度に設定することもかかる技術分野で通常実施されている範囲のものであって周知技術といえる。
（イ）そして、船舶の主要寸法（長さ、幅、深さ、喫水）、概略配置、主機および必要馬力、航海速度、推進性などの基本設計が、船主などの希望に沿って設定され得ることは、かかる技術分野の技術常識である（必要ならば、池田良穂監修「プロが教える船のすべてが分かる本」 株式会社ナツメ社 ２００９年２月９日発行 １８頁左欄本文１〜１２行、山縣昌夫著「舶型学抵抗篇（審決注：「学」は旧字で記載）」 天然社 昭和２８年１月１０日発行 ３０頁２〜４行、など参照）。
（ウ）以上を踏まえて検討すると、引用発明は、「船舶の推進機構をなす装置」として「低速デイーゼル主機関１」を具備するものであるところ、刊行物１には、上記「低速デイーゼル主機関１」を設置する船舶の喫水及びプロペラの寸法について記載されるものではないが、上記（ア）で述べたとおり、船舶の喫水を「６．５ｍ」程度に設定することも、また、船舶用プロペラの直径を「４〜５ｍ」程度に設定することもかかる技術分野で通常実施されている範囲のものであって周知技術といえ、さらに、上記（イ）で述べたとおり、船舶を設計する場合に、船舶の主要寸法などの基本設計は、船主などの希望に沿って適宜設定される設計事項といえる。
　してみると、引用発明において、「低速デイーゼル主機関１」を設置する船舶について、その喫水及びプロペラの寸法を、従来より実施されている範囲のものであって周知技術ともいうべき寸法に設定することは、当業者にとって格別困難なことではない。
　そして、「低速デイーゼル主機関１」が「船体の機関室」に設置されることは自明であるから、上記相違点１に係る本願補正発明の構成は、引用発明、周知技術及び技術常識に基いて当業者が容易に想到し得るものといえる。
 　 
 ＜相違点２＞ について 
（ア）引用発明の「船舶の推進機構をなす装置」は、「低速デイーゼル主機関１」、「プロペラ２」及び「低速デイーゼル主機関１側とプロペラ２側とを結合して推進軸系を構成する中間軸３」を具備するものであるところ、当然のことながら、船舶を構成する場合には、上記「中間軸３」を船舶に設置する必要がある。
　そして、上記「中間軸３」は「低速デイーゼル主機関１側とプロペラ２側とを結合して推進軸系を構成する」ものであるから、その構造に照らして、船体の船尾部に貫通して設置される軸受で支持されることは自明というべきであるから、上記相違点２は実質的な相違点とはいえない。
　仮に実質的に相違するとしても、プロペラ軸を、船体の船尾部に貫通して設置される船尾管軸受で支持することは、かかる技術分野において、周知技術にして技術常識というべきものであるから（必要ならば、特開昭６１−２３５２９５号公報：１頁左下欄末行〜同頁右下欄１１行など参照）、引用発明の「中間軸３」を、船体の船尾部に貫通して設置される船尾管軸受に対して支持されるように構成することは、当業者が容易に想到し得るものといえる。
　したがって、上記相違点２は実質的な相違点とはいえないか、または実質的に相違するとしても、当業者が容易に想到し得るものといえる。  
　
＜相違点３＞ について
（ア）刊行物２には、「本発明は船内外機の大形化、
高出力化への要望（ニーズ）に対応
高出力化の要求を満たすためには、プロペラ径を大きくするか、又はプロペラの回転数を速くするかの、２つの対策がある
（イ）そして、刊行物２には、船内外機を高出力化するための課題解決手段として、主機関１の出力を増速逆転機８で増速するとともに、そのように増速された回転力をプロペラ３７に伝達することで、プロペラ３７を高回転なものとし、エンジン出力を効果的なものとすることが記載されているから（摘示（２ｃ））、そのような技術事項を引用発明に適用する動機付けは十分存在するものといえる。
（ウ）ここで、請求人は、平成２８年３月７日付けの審判請求書（（４）（４−１））で、刊行物２記載の発明は、アウトドライブ装置に特化したものであり、本願発明と刊行物２記載の発明は、適用される船舶が異なるものであり、引用発明が本願発明と同程度の低速主機関（低速ディーゼル主機関）を有するものと認められるとするならば、この引用発明において刊行物２記載の発明の技術思想を勘案することはできない、旨主張する。
　しかし、上記（ア）で述べたとおり、船舶の推進機構を高出力化するという技術課題は、船舶設計全般に共通する基本的な技術課題ということができるから、刊行物２に記載された技術事項が、アウトドライブ装置を備える船舶ばかりでなく、アウトドライブ装置を備えていない船舶においても有効であることは当業者には明らかである。
　補足すれば、刊行物２に記載された「
高出力化の要求を満たすためには、プロペラ径を大きくするか、又はプロペラの回転数を速くするかの、２つの対策がある
　したがって、請求人の上記主張は採用できない。
（ウ）以上のとおりであるから、上記相違点３に係る本願補正発明の構成は、引用発明、刊行物２に記載された技術事項及び技術常識に基いて当業者が容易に想到し得るものといえる。 
　 
　そして、本願補正発明の作用効果も、引用発明、刊行物２に記載された技術事項、周知技術及び技術常識から当業者が予測し得る範囲のものであって、格別なものとはいえない。 
  
エ　まとめ  
　したがって、本願補正発明は、引用発明、刊行物２に記載された技術事項、周知技術及び技術常識に基いて当業者が容易に発明をすることができたものであるから、特許法第２９条第２項の規定により、特許を受けることができない。  
　よって、本願補正発明は、特許出願の際独立して特許を受けることができるものではない。  
 　　  
３　むすび  
　以上のとおりであるから、本件補正は、特許法第１７条の２第６項において準用する同法第１２６条第７項の規定に違反するので、同法第１５９条第１項において読み替えて準用する同法第５３条第１項の規定により却下すべきものである。  
 　　　  
第３　本願発明  
　本件補正は上記のとおり却下されたので、本願の請求項４に係る発明は、本願の願書に最初に添付した特許請求の範囲の請求項４に記載された事項により特定されるとおりのものと認められるところ、請求項４に係る発明（以下「本願発明」という。）は、上記「第２　１」の【請求項４】に記載されたとおりのものである。 　
　 　　  
第４ 引用刊行物とその記載事項等  
　原査定の拒絶の理由に引用された刊行物及びその記載事項等は、上記「第２　２（２）ア」に記載したとおりでである。  
 　　  
第５　当審の判断  
　本願発明は、本願補正発明から、上記「第２　２（１）」で述べたとおりの限定事項を省いたものである。  
　そうすると、本願発明の発明特定事項を含み、さらに他の限定を付加したものに相当する本願補正発明が、上記「第２　２（２）」で述べたとおり、引用発明、刊行物２に記載された技術事項、周知技術及び技術常識に基いて当業者が容易に発明をすることができたものであるから、本願発明も同様の理由により、引用発明、刊行物２に記載された技術事項、周知技術及び技術常識に基いて当業者が容易に発明をすることができたものといえる。  
 　　　 　  
第６　むすび  
　以上のとおり、本願発明は、引用発明、刊行物２に記載された技術事項、周知技術及び技術常識に基いて当業者が容易に発明をすることができたものであるから、特許法第２９条第２項の規定により特許を受けることができない。  
　したがって、その余の請求項について検討するまでもなく、本願は拒絶すべきものである。 
 　よって、結論のとおり審決する。